(57)【要約】【課題】簡単な形状のタンクであっても確実にタンクをフレームに固定することができる転圧機械を提供する。【解決手段】機体(1)の後側フレーム(3r)の下側の骨格を形成する骨格部材(41)と、骨格部材の上部(52)に配設される水タンク(11)と、骨格部材に固定され、後側フレームの左右方向の外面を形成する外側壁(60)と、を備えた転圧機械において、水タンクを後側フレームに固定する固定部材(70)を備え、外側壁は、前端を機体左右方向中央に向かって折り曲げてリブ部(61a、62a)を形成しており、固定部材は、リブ部に取付けられて水タンクを骨格部材に押圧してなる。【選択図】図３
2020051144.tif 000002
【特許請求の範囲】
【請求項１】
機体の後側フレームの骨格を形成する骨格部材と、
前記骨格部材の上部に配設される水タンクと、
前記骨格部材に固定され、前記後側フレームの左右方向の外面を形成する外側壁と、を備えた転圧機械において、
前記水タンクを前記後側フレームに固定する固定部材を備え、
前記外側壁は、前端を機体左右方向中央に向かって折り曲げてリブ部を形成しており、
前記固定部材は、前記リブ部に取付けられて前記水タンクを前記骨格部材に押圧してなる転圧機械。
【請求項２】
前記リブ部は、前記水タンクの該リブ部に対応する面と機体前後方向について相対的に所定角度傾斜する、請求項１に記載の転圧機械。
【請求項３】
前記固定部材は、前記リブ部の前側に取付けられる、請求項１に記載の転圧機械。
【請求項４】
前記骨格部材の上部に、前記水タンクを機体前後方向後方及び機体左右方向について規制する規制部が配設される、請求項１に記載の転圧機械。
【請求項５】
前記水タンクは、前側下端に機体左右方向に延びて形成される凸条を備え、
前記骨格部材は、上部より下側に前記凸条の機体前後方向後側の面に沿って形成される立面部を備える、請求項１に記載の転圧機械。
【発明の詳細な説明】
【技術分野】
【０００１】
本発明は転圧機械に係り、特に機体の強度を高める技術に関する。
【背景技術】
【０００２】
アスファルト舗装工事においては、振動ローラ（転圧機械）を用いて締固め作業をすることが一般的である。
この締固め作業には、施工路面に敷かれた凝固前のアスファルトがローラに付着しないよう、ローラに水を噴霧することが行われている。
【０００３】
そこで、転圧機械には、水を貯留する水タンクが備えられている。
ところで、このような締め固め作業に用いる水を作業現場近くで補給することが困難な場合があるため、可能な限り容量の大きい水タンクを備える必要があった。
そこで、水タンクの左右端部にも水を貯留可能な凸部（３ａ）を設け、水タンクの容量を増加させるとともに、剛性を高めた水タンクが開発されている（特許文献１）。
【先行技術文献】
【特許文献】
【０００４】
【特許文献１】特開平９−５９９１４号公報
【発明の概要】
【発明が解決しようとする課題】
【０００５】
しかしながら、上記特許文献１に開示されるタンクは、複雑な形状を有するため成型金型もまた複雑な形状となり、成型性が低下する虞があった。
一方、タンク形状の簡素化及び固定方法の簡素化をすると、タンクがずれてフレームに接触し、タンクが破損する虞があった。
【０００６】
本発明はこのような課題に鑑みてなされたものであり、その目的とするところは、簡単な形状のタンクであっても確実にタンクをフレームに固定することができる転圧機械を提供することにある。
【課題を解決するための手段】
【０００７】
上記の目的を達成するため、本発明の転圧機械は、機体の後側フレームの骨格を形成する骨格部材と、前記骨格部材の上部に配設される水タンクと、前記骨格部材に固定され、前記後側フレームの左右方向の外面を形成する外側壁と、を備えた転圧機械において、前記水タンクを前記後側フレームに固定する固定部材を備え、前記外側壁は、前端を機体左右方向中央に向かって折り曲げてリブ部を形成しており、前記固定部材は、前記リブ部に取付けられて前記水タンクを前記骨格部材に押圧してなることを特徴とする。
【０００８】
これにより、骨格部材に固定された外側壁の前端を機体左右方向中央に向かって折り曲げて形成したリブ部に、固定部材を取付けて水タンクを骨格部材に押圧することで、例えば水タンクを固定するための開口や凹凸を形成することなく後側フレームに固定することが可能とされる。
【０００９】
その他の態様として、前記リブ部は、前記水タンクの該リブ部に対応する面と機体前後方向について相対的に所定角度傾斜するのが好ましい。
【００１０】
これにより、リブ部と水タンクのリブ部に対応する面とが機体前後方向について相対的に所定角度傾斜するようにリブ部及び水タンクを形成することにより、固定部材は、リブ部に沿って機体上下方向に移動することで水タンクを押圧して固定することが可能とされる。
【００１１】
その他の態様として、前記固定部材は、前記リブ部の前側に取付けられるのが好ましい。
これにより、固定部材がリブ部の前側に取付けられることで、簡単に着脱することが可能とされる。
【００１２】
その他の態様として、前記前記骨格部材の上部に、前記水タンクを機体前後方向後方及び機体左右方向について規制する規制部が配設されるのが好ましい。
これにより、水タンクを機体前後方向後方及び機体左右方向について規制する規制部が骨格部材の上部に配設されることで、水タンクが前後方向及び左右方向に移動しないよう規制したうえで固定部材によって水タンクを固定することができ、的確に水タンクを後側フレームに取付けることが可能とされる。
【００１３】
その他の態様として、前記水タンクは、前側下端に機体左右方向に延びて形成される凸条を備え、前記骨格部材は、上部より下側に前記凸条の機体前後方向後側に沿って形成される立面部を備えるのが好ましい。
これにより、固定部材によって水タンクが骨格部材に押圧されるとき、凸条が骨格部材の立面部に押圧されるので、固定部材と骨格部材の立面部とによって凸条を挟むように押圧することで水タンクの前側下端を支持することが可能とされる。
【発明の効果】
【００１４】
本発明の転圧機械によれば、骨格部材に固定された外側壁の前端を機体左右方向中央に向かって折り曲げて形成したリブ部に、固定部材を取付けて水タンクを骨格部材に押圧したので、例えば水タンクを固定するための開口や凹凸を形成することなく後側フレームに固定することができる。
これにより、簡単な形状のタンクであっても確実にタンクをフレームに固定することができる。
【図面の簡単な説明】
【００１５】
【図１】機体の側面図である。
【図２】機体後部の斜視図である。
【図３】機体後部の分解図である。
【図４】後側フレームの斜視図である。
【図５】前リブ部に取付けられた状態における固定部材の斜視図である。
【図６】固定部材による水タンクの固定方法を説明する説明図である。
【図７】固定部材による水タンクの固定方法を説明する説明図である。
【発明を実施するための形態】
【００１６】
以下、図面に基づき本発明の一実施形態について説明する。
図１を参照すると、機体１の側面図が示されている。
【００１７】
機体（転圧機械）１は、機体フレーム３、前輪ローラ５、後輪ローラ７、操縦席９及び水タンク１１を備える振動ローラである。この機体１は、機体フレーム３の前部に配設される前輪ローラ５及び後部に配設される後輪ローラ７を図示しない駆動装置の駆動力によって駆動させて走行しつつ、前輪ローラ５及び後輪ローラ７によって路面の締固め作業をすることが可能である。
【００１８】
機体フレーム３は、前側フレーム３ｆ、後側フレーム３ｒ及び回動部３ｓによって構成されている。この機体フレーム３は、前側フレーム３ｆの後端と後側フレーム３ｒの前端とを所謂アーティキュレート機構を備えた回動部３ｓによって連結されている。これにより、機体１は、乗員の操舵に応じて前側フレーム３ｆを後側フレーム３ｒに対して回動部３ｓ回りで相対的に回動させるように屈曲して旋回することが可能である。
【００１９】
図２を参照すると、機体１後部の斜視図が示されている。また、図３を参照すると、機体１後部の分解図が示されている。後側フレーム３ｒの上部には、操縦席９、水タンク１１及びシートユニット１３が配設されている。操縦席９は、機体１を作業者によって操縦可能に構成されている。水タンク１１は、樹脂製のタンクであり、水を貯留することが可能である。シートユニット１３は、機体１を操縦する作業者が着座する座席である。
【００２０】
水タンク１１は、例えば上槽２１及び下槽２３が形成されている。下槽２３は、水タンク１１の上下方向下側に形成されており、前側に前面（リブ部に対応する面）３１、上側に平面３２、下側に底面３３、後側に後面３４、左右に側面３５がそれぞれ形成された液槽である。この前面３１の上下方向下側には、凸条３６が形成されている。
【００２１】
凸条３６は、水タンク１１の前側下端に、底面３３から下方に突出するように、機体左右方向に延びて形成されている。この凸条３６の後面３６ａは、前面３１と平行するように形成されている。また、この凸条３６の下端には、排出部３６ｂが形成されている。この排出部３６ｂは、図示はしないがパイプを介してポンプと接続している。
【００２２】
上槽２１は、下槽２３の平面３２から上方に延びて形成されている。この上槽２１の上端には、補給口３７が形成されている。したがって、水タンク１１は、補給口３７から補給される水が上槽２１及び下槽２３に貯留し、該貯留した水を適宜排出部３６ｂから排出して噴霧等に使用することができる。
【００２３】
シートユニット１３は、例えば平面３２の上方に位置するように載置される。このシートユニット１３は、機体１を操縦する作業者が着座する座席である。
【００２４】
図１に戻り、機体１の前輪ローラ５及び後輪ローラ７の近傍には、噴霧ノズル１７ｆ、１７ｒがそれぞれ配設されている。この噴霧ノズル１７ｆ、１７ｒは、水タンク１１に貯留される水を前輪ローラ５及び後輪ローラ７に噴霧することが可能である。
【００２５】
図４を参照すると、後側フレーム３ｒの斜視図が示されている。
後側フレーム３ｒは、骨格部材４１及び外側壁６０を備えている。骨格部材４１には、第１平面部（立面部）５１及び第２平面部（骨格部材の上部）５２が形成されている。
【００２６】
第１平面部５１は、例えば機体１上下方向に延びる平面であり、後輪ローラ７の前方に位置して形成されている。この第１平面部５１は、水タンク１１の前面３１と平行するように形成されている。換言すると、凸条３６の後面３６ａ及び第１平面部５１は、互いに沿うように形成されている。
第２平面部５２は、第１平面部５１の上端から機体前後方向後方に向かって延びるよう形成されている。この第２平面部５２には、水タンク１１が上側に配設される。また、第２平面部５２には、左右一対のタンク規制部（規制部）５５が例えば溶接されている。
【００２７】
タンク規制部５５は、左右規制部５５ａ及び後規制部５５ｂを備えている。左右規制部５５ａは、水タンク１１が第２平面部５２の上側に配設されたときにおける下槽２３の左右側面に対応する位置に形成された規制部である。この左右規制部５５ａは、機体１の振動等によって水タンク１１が機体左右方向に移動しないよう水タンク１１の下槽２３の側面３５を規制することができる。
【００２８】
後規制部５５ｂは、水タンク１１が第２平面部５２の上側に配設されたときにおける下槽２３の後面３４の左右端に対応する位置に形成された規制部である。この後規制部５５ｂは、機体１の走行等によって水タンク１１が機体後方に移動しないよう水タンク１１の下槽２３の後面３４を規制することができる。
【００２９】
外側壁６０は、例えば鉄製の板部材であり、右端壁６１及び左端壁６２が形成されている。この外側壁６０は、骨格部材４１に例えば溶接することで固定されている。
【００３０】
右端壁６１は、後側フレーム３ｒの右側の意匠面を成している。この右端壁６１は、例えば機体前後方向前側の端部を機体左右方向中央に向けて折り曲げることで、水タンク１１における下槽２３の前面３１より前方に、前面３１より上方に向かって立てるような角度で傾く（所定角度傾斜する）前リブ部（リブ部）６１ａを形成している。換言すると、前面３１及び前リブ部６１ａは、機体前後方向において相対的に所定角度傾斜した関係にある。
【００３１】
左端壁６２は、外側壁６０の左方に位置して後側フレーム３ｒの左側の意匠面を成している。この左端壁６２は、例えば機体前後方向前側の端部を機体左右方向中央に向けて折り曲げることで、水タンク１１における下槽２３の前面３１より前方に、前面３１より上方に向かって立てるような角度で傾く前リブ部（リブ部）６２ａを形成している。換言すると、前面３１及び前リブ部６２ａは、機体前後方向において相対的に所定角度傾斜した関係にある。
【００３２】
図５を参照すると、前リブ部６１ａに取付けられた状態における固定部材７０の斜視図が示されている。以下、右端壁６１の前リブ部６１ａに取付けられた固定部材７０について説明するが、左端壁６２の前リブ部６２ａに取付けられる固定部材７０についても同様の態様とする。
【００３３】
水タンク１１は、骨格部材４１の第２平面部５２の上側に配設されることで機体上下方向における下方について位置が規制される。また、水タンク１１は、上記したように、タンク規制部５５の左右規制部５５ａ及び後規制部５５ｂによって機体前後方向における後方及び機体左右方向について規制されることで位置が規制される。
【００３４】
さらに、水タンク１１は、固定部材７０によって、機体上下方向上方及び機体前後方向前方についても規制されることで後側フレーム３ｒに固定される。固定部材７０は、クランク型に形成された部材であり、一端７１が外側壁６０における右端壁６１の前リブ部６１ａの前側に配設され、例えば２本のボルト７２によって螺合される。固定部材７０の他端７３は、水タンク１１における下槽２３の前面３１に向けて延びている。ここで、固定部材７０は、一端７１が前リブ部６１ａの前側に配設されているため、簡単に着脱することができる。
【００３５】
固定部材７０には、所定の位置に機体上下方向に延びるように長穴７０ａが形成されている。また、前リブ部６１ａには、丸穴６１ｂが形成されている。したがって、固定部材７０の一端７１は、長穴７０ａ及び丸穴６１ｂに貫通するボルト７２によって前リブ部６１ａに螺合されている。
【００３６】
図６、７を参照すると、固定部材７０による水タンク１１の固定方法を説明する説明図が示されている。以下、固定部材７０を用いた水タンク１１の後側フレーム３ｒへの固定方法について説明する。
【００３７】
まず、長穴７０ａにおける下側にボルト７２が位置するように固定部材７０の一端７１を外側壁  ６０における右端壁６１の前リブ部６１ａに仮留めする。このとき、固定部材７０が前リブ部６１ａに沿って摺動可能な程度にボルト７２を絞め付けるのが望ましい。
【００３８】
その後、固定部材７０を前リブ部６１ａに沿わせながら、機体上下方向下方に向けて移動させる。このとき、前リブ部６１ａが下槽２３の前面３１より上方に向かって立てるような角度で傾くように形成されているので、固定部材７０が下方に移動すればするほど固定部材７０の他端７３が下槽２３の前面３１を機体前後方向後方及び上下方向下方に向けて強く押圧する。
【００３９】
ボルト７２が長穴７０ａにおける上側に位置するまで固定部材７０を下方に移動させたあと、ボルト７２を規定トルクで締め付けることで固定部材７０が動かない程度に螺合して固定部材７０を右端壁６１の前リブ部６１ａに固定する。
【００４０】
ところで、水タンク１１は、上記したように、骨格部材４１の第２平面部５２の上側に配設されることで機体上下方向における下方について位置が規制されている。また、水タンク１１は、タンク規制部５５の左右規制部５５ａ及び後規制部５５ｂによって機体前後方向における後方及び機体左右方向についても位置が規制されている。
【００４１】
さらに、水タンク１１は、下槽２３の前面３１を機体前後方向後方及び上下方向下方に向けて強く押圧した状態を保持しながら固定部材７０を右端壁６１の前リブ部６１ａに固定することで、水タンク１１における下槽２３の底面３３及び凸条３６の後面３６ａを、第２平面部５２及び第１平面部５１に機体上下方向下方及び前後方向後方に向けて押圧することができる。
【００４２】
従って、水タンク１１は、機体上下方向上方及び前後方向前方についても位置が規制される。これにより、水タンク１１を後側フレーム３ｒに的確に固定することができる。
【００４３】
以上説明したように、本発明に係る転圧機械では、機体１の後側フレーム３ｒの骨格を形成する骨格部材４１と、骨格部材４１の第２平面部５２に配設される水タンク１１と、骨格部材４１に固定され、後側フレーム３ｒの左右方向の外面を形成する外側壁  ６０とを備えた転圧機械において、水タンク１１を後側フレーム３ｒに固定する固定部材７０を備え、外側壁６０は、前端を機体１左右方向中央に向かって折り曲げて前リブ部６１ａ、６２ａを形成しており、固定部材７０は、前リブ部６１ａ、６２ａに取付けられて水タンク１１を骨格部材４１に押圧してなる。
【００４４】
従って、骨格部材に固定された外側壁の前端を機体左右方向中央に向かって折り曲げて形成した前リブ部６１ａ、６２ａに、固定部材７０を取付けて水タンク１１を骨格部材４１に押圧することで、例えば水タンク１１を固定するための開口や凹凸を形成することなく後側フレーム３ｒに固定することができる。
【００４５】
そして、前リブ部６１ａ、６２ａは、水タンク１１の前リブ部６１ａ、６２ａに対応する面である下槽２３の前面３１と機体１前後方向について相対的に所定角度傾斜することで、固定部材７０は、前リブ部６１ａ、６２ａに沿って機体上下方向に移動することで水タンクを押圧して固定することができる。
【００４６】
特に、固定部材７０を前リブ部６１ａ、６２ａに沿って機体上下方向に移動することにより水タンクを押圧して固定することで、固定部材７０をかしめるようにして水タンク１１を後側フレーム３ｒに強固に固定することができる。
【００４７】
そして、固定部材７０は、前リブ部６１ａ、６２ａの前側に取付けられるので、固定部材７０を簡単に着脱することができる。
【００４８】
そして、骨格部材４１の第２平面部５２に、水タンク１１を機体１前後方向後方及び機体１左右方向について規制するタンク規制部５５が配設される。
従って、水タンク１１を機体前後方向後方及び機体左右方向について規制する規制部５５が骨格部材４１の第２平面部５２に配設されることで、水タンク１１が前後方向及び左右方向に移動しないよう規制したうえで固定部材７０によって水タンク１１を固定することができ、的確に水タンク１１を後側フレーム３ｒに取付けることができる。
【００４９】
そして、水タンク１１の前側下端に、機体左右方向に延びて形成される凸条３６と、骨格部材４１の上部より下側に、凸条３６の機体前後方向後側に沿って形成される第１平面部５１とを備える。
従って、固定部材７０によって水タンク１１が骨格部材４１に押圧されるとき、凸条３６が骨格部材４１の第１平面部５１に押圧されるので、固定部材７０と骨格部材４１の第１平面部５１とによって凸条３６を挟むように押圧することで水タンク１１の前側下端を支持することができる。
【００５０】
以上で本発明に係る転圧機械の説明を終えるが、本発明は上記実施形態に限られるものではなく、発明の主旨を逸脱しない範囲で変更可能である。
例えば、本実施形態では、固定部材７０を前リブ部６１ａ、６２ａの前面に取付けるようにしたが、前リブ部６１ａ、６２ａの後面に取付け、前リブ部６１ａ、６２ａと水タンク１１の前面３１との間に挟まれるように取り付けるようにしてもよい。
【符号の説明】
【００５１】
１  機体（転圧機械）
３ｒ  後側フレーム
１１  水タンク
２３  下槽
３１  前面（リブ部に対応する面）
３６  凸条
４１  骨格部材
５１  第１平面部（立面部）
５２  第２平面部（骨格部材の上部）
５５  タンク規制部（規制部）
６０  外側壁
６１ａ、６２ａ  前リブ部（リブ部）
７０  固定部材
【図１】
2020051144.tif 000003
【図２】
2020051144.tif 000004
【図３】
2020051144.tif 000005
【図４】
2020051144.tif 000006
【図５】
2020051144.tif 000007
【図６】
2020051144.tif 000008
【図７】
2020051144.tif 000009